(57)【要約】【課題】相異なる内容物を収めて一緒に保管及び流通することができ、内コップの内容物を外コップに注いで外コップの内容物と混合して摂取することができる二重コップを提供する。【解決手段】摂取可能な液状物及び固形物の内容物を選択的にそれぞれ収め、互いに結合される外コップ及び内コップと、前記内コップの上部に、外コップ及び内コップの内容物が流通中に流出または汚染しないように、外コップ及び内コップを同時に気密包装する密封フィルムと、前記内コップの内容物が一杯になる固形物の場合、内容物が容易に排出されるようにするとともに、排出された固形物が外力によって容易に破砕されるようにするために、内容物の中央に破砕ホールを形成することができるように前記内コップの中央に下端から上側に行くほど細くなる傾斜で突設された第１排出突起と、を含んでなる二重コップを提供する。【選択図】  図２
0003203489.tif 000002
【実用新案登録請求の範囲】
【請求項１】
摂取可能な液状物Ｌ及び固形物Ｓの内容物を選択的にそれぞれ収め、分離可能に固定される外コップ１２０及び内コップ１１０と、
前記内コップ１１０の上部に、内コップ１１０の内容物が流通中に流出または汚染しないように、内コップ１１０を気密包装する密封フィルム１３０と、
内容物の中央に破砕ホールＳ１が形成され、前記内コップ１１０の中央に下端から上側に行くほど細くなる傾斜で突設された第１排出突起１１１と、を含むことを特徴とする、二重コップ。
【請求項２】
前記第１排出突起１１１の上端には、前記外コップ１２０に収められた液状物を飲用するためのストロー１５０が貫通することができるようにストロー挿入部１１５をさらに含むことを特徴とする、請求項１に記載の二重コップ。
【請求項３】
前記外コップ１２０は、この外コップ１２０側に導入された内コップ１１０の内容物を使用者が手でもんで変形し、混合及び／又は破砕することができ、元の状態に復元する形状記憶ポリマーからなることを特徴とする、請求項１に記載の二重コップ。
【請求項４】
前記内コップ１１０の内側面には、前記固形物Ｓの破砕のための破砕溝Ｓ２が形成され、円周方向に間隔を置いて上下方向に伸びる複数の第２排出突起１１３が突設されたことを特徴とする、請求項１に記載の二重コップ。
【請求項５】
前記内コップ１１０の上部をふたをするふた１４０を有し、前記内コップ１１０の上端外周には円周方向に間隔を置いて複数の第１結合溝１１７がエンボス加工され、前記ふた１４０の下端外周には、前記内コップ１１０の第１結合溝１１７に対応した位置に、円周方向に間隔を置いて複数の結合突起１４７がエンボス加工され、前記第１結合溝１１７と結合突起１４７の相互作用によって前記内コップ１１０にふた１４０を覆うことができるように構成され、
前記内コップ１１０が外コップ１２０から分離排出される及び／又は紛失されても外コップ１２０の内容物を遺失しないようにするために、前記外コップ１２０にふた１４０を覆うことができるように前記内コップ１１０の第１結合溝１１７と同様に前記外コップ１２０の外周に第２結合溝１２７がさらに形成されたことを特徴とする、請求項１に記載の二重コップ。
【考案の詳細な説明】
【技術分野】
【０００１】
本考案は、酒類、飲料、牛乳、ヨーグルトなどの液状物と、コーン、シリアル、クッキーなどの固形物を同時に摂取したり、ご飯と薬味などの相異なる固形物を交ぜて摂取したり（別名、コップ飯という）、氷あずき、シャーベット、氷などの氷菓子類を破砕して摂取したりすることができるようにそれぞれ分離して包装される二重コップに関するものである。
【背景技術】
【０００２】
一般に、二重コップは性質を異にするそれぞれの飲食物を分離包装してそれぞれ摂取することができるようにするもので、道路、広場、公園、運動場などの野外で２種の飲食物を簡便に携帯するとともに便利に摂取することができるようにコップ状の相異なる大きさの容器を結合された状態で使っている。
【０００３】
前述したような二重コップの典型的な形態として、図１に示したように、従来の二重コップは、飲料を収める大型コップ１と、この大型コップ１の上側外周に沿って形成された係止端縁２の下側に挿入される一定の大きさの小型コップ３とを含み、小型コップ３の底面にストロー４を挿入するストローホール５が形成されたものである。
【０００４】
したがって、大型コップ１に飲料を収め、小型コップ３にスナック類を収め、係止端縁２を境界にして互いに挿合された状態で、小型コップ３のストローホール５にストロー４を差し込んで飲料とスナックを同時に摂取することができる。
【０００５】
しかし、従来の二重コップは、ストローを通してのみ（飲料を）飲用することができるため、適用対象が飲料に限定される問題点があり、多量の飲料を飲むときにストローを使わざるを得ない不便さがあり、氷のような固形物はもちろんのこと、シェーキ、スラッシュなどの粘性飲料物を摂取することが非常に煩わしい問題点がある。
【考案の概要】
【考案が解決しようとする課題】
【０００６】
前記のような問題点を解決するために、本考案は、摂取可能な液状物、固形物、氷菓子類などの内容物が選択的にそれぞれ収められる外コップ及び内コップを互いに結合し、この内コップの上部を密封フィルムで気密包装することで、相異なる内容物を収めて一緒に保管及び流通させることができ、内コップの内容物を外コップに注いで外コップの内容物と混合して摂取することができる二重コップを提供することに目的がある。
【０００７】
また、本考案は、前記内コップの中央に下端から上側に行くほど細くなる傾斜で突設された排出突起を形成することで、前記内コップに収められる内容物が一杯になる固形物の場合、内コップから容易に排出して外コップに注ぐことができる二重コップを提供することに他の目的がある。
【０００８】
また、本考案は、前記排出突起の上端部にストローを貫通して挿入することができるストロー挿入部を形成することで、外コップに収められた液状物と内コップに収められた固形物を選択的に摂取または飲用することができる二重コップを提供することにさらに他の目的がある。
【課題を解決するための手段】
【０００９】
前述したような目的を達成するために、本考案は、摂取可能な液状物Ｌ及び固形物Ｓの内容物を選択的にそれぞれ収め、分離可能に固定される外コップ１２０及び内コップ１１０と、前記内コップ１１０の上部に、内コップ１１０の内容物が流通中に流出または汚染しないように、内コップ１１０を気密包装する密封フィルム１３０と、内容物の中央に破砕ホールＳ１が形成され、前記内コップ１１０の中央に下端から上側に行くほど細くなる傾斜で突設された第１排出突起１１１と、を含むことを特徴とする、二重コップである。
本考案は、前記第１排出突起１１１の上端には、前記外コップ１２０に収められた液状物を飲用するためのストロー１５０が貫通することができるようにストロー挿入部１１５をさらに含むことを特徴とする二重コップである。
本考案は、前記外コップ１２０は、この外コップ１２０側に導入された内コップ１１０の内容物を使用者が手でもんで変形し、混合及び／又は破砕することができ、元の状態に復元する形状記憶ポリマーからなることを特徴とする二重コップである。
本考案は、前記内コップ１１０の内側面には、前記固形物Ｓの破砕のための破砕溝Ｓ２が形成され、円周方向に間隔を置いて上下方向に伸びる複数の第２排出突起１１３が突設されたことを特徴とする二重コップである。
本考案は、前記内コップ１１０の上部をふたをするふた１４０を有し、前記内コップ１１０の上端外周には円周方向に間隔を置いて複数の第１結合溝１１７がエンボス加工され、前記ふた１４０の下端外周には、前記内コップ１１０の第１結合溝１１７に対応した位置に、円周方向に間隔を置いて複数の結合突起１４７がエンボス加工され、前記第１結合溝１１７と結合突起１４７の相互作用によって前記内コップ１１０にふた１４０を覆うことができるように構成され、前記内コップ１１０が外コップ１２０から分離排出される及び／又は紛失されても外コップ１２０の内容物を遺失しないようにするために、前記外コップ１２０にふた１４０を覆うことができるように前記内コップ１１０の第１結合溝１１７と同様に前記外コップ１２０の外周に第２結合溝１２７がさらに形成されたことを特徴とする二重コップである。
【考案の効果】
【００１０】
前記のように構成された本考案を提供することにより、次のような効果がある。
【００１１】
まず、相異なる内容物を収めて一緒に保管及び流通することができ、内コップの内容物を外コップに注いで外コップの内容物と混合して摂取することができる。
【００１２】
次に、前記第１及び第２排出突起によって内コップに一杯になる固形物を外コップに容易に排出することができる。
【００１３】
それから、前記ストロー挿入部を通じて外コップに収められた液状物を飲用することができるので、前記内コップ及び外コップに収められる内容物の種類に構わず選択的に摂取することができる。
【図面の簡単な説明】
【００１４】
【図１】従来の二重コップの構成図である。
【図２】本考案による二重コップの構成図である。
【図３】本考案による二重コップの分解状態図である。
【図４】本考案による二重コップの断面構成図である。
【図５】本考案による二重コップの用途の第１使用状態図である（氷破砕）。
【図６】本考案による二重コップの用途の第２使用状態図である（ビビンバップ）。
【図７】本考案による二重コップの用途の第３使用状態図である（コルポップ）。
【考案を実施するための形態】
【００１５】
以下、添付図面を参照して本考案の実施例について本考案が属する技術分野で通常の知識を持つ者が容易に実施することができるように詳細に説明する。
【００１６】
本考案の二重コップ１００は、図２〜図４に示したように、酒類、飲料、牛乳、ヨーグルトなどの摂取可能な液状物Ｌ及びクッキー類、てんぷら類、氷菓子類、穀物類などの摂取可能な固形物Ｓの内容物を選択的にそれぞれ収め、分離可能に固定される外コップ１２０及び内コップ１１０を含む。
【００１７】
ここで、前記内コップ１１０の上部には、内コップ１１０に収められた内容物を包装して流通することができるようにし、流通中に内容物が流出または汚染しないように、内コップ１１０を気密包装する密封フィルム１３０を含む。
【００１８】
したがって、内容物をそれぞれ収めた内コップ１１０及び外コップ１２０の相互結合と密封フィルム１３０の気密包装により、各内容物が混合されていない状態で二重に包装することができる。
【００１９】
また、前記外コップ１２０はこの外コップ１２０側に導入された内コップ１１０の内容物を使用者が手でもんで変形し、混合及び／又は破砕することができ、元の状態に復元する形状記憶ポリマーからなることが好ましい。
【００２０】
また、前記内コップ１１０の内側面には、前記固形物Ｓの破砕のための破砕溝Ｓ２が形成され、円周方向に間隔を置いて上下方向に伸びる複数の第２排出突起１１３を突設させることができる。
【００２１】
そして、第１排出突起１１１の上端には、前記外コップ１２０に収められた液状物を飲用するためのストロー１５０が貫通することができるようにストロー挿入部１１５をさらに含むことができる。
【００２２】
また、内容物の中央に破砕ホールＳ１が形成され、前記内コップ１１０の中央に下端から上側に行くほど細くなる傾斜で突設された第１排出突起１１１をさらに突設させることができる。つまり、第１排出突起１１１は先細である。
【００２３】
例えば、前記内コップ１１０に収められた内容物が氷のような固形物Ｓである場合、前記第１排出突起１１１によって固形物Ｓの中央に破砕ホールＳ１が形成され、この固形物Ｓを外コップ１２０に入れて使用者が両手で外コップ１２０を加圧すれば、脆弱部位である破砕ホールＳ１から氷が細かく砕ける。
【００２４】
一方、前記内コップ１１０の上部をふたをするふた１４０を有し、前記内コップ１１０の上端外周には円周方向に間隔を置いて複数の第１結合溝１１７がエンボス加工され、前記ふた１４０の下端外周には、前記内コップ１１０の第１結合溝１１７に対応した位置に、円周方向に間隔を置いて複数の結合突起１４７がエンボス加工され、前記第１結合溝１１７と結合突起１４７の相互作用によって前記内コップ１１０にふた１４０を被せることができるように構成されることにより、より安定的に包装及び流通させることができる。
【００２５】
ここで、前記内コップ１１０が外コップ１２０から分離排出される及び／又は紛失される場合でも外コップ１２０の内容物を遺失しないようにするために、前記外コップ１２０にふた１４０を被せることができるように前記内コップ１１０の第１結合溝１１７と同様に前記外コップ１２０の外周に第２結合溝１２７をさらに形成することができる。
そして、外コップ１２０に内コップ１１０を挿入すると、第２結合溝１２７に第１の結合溝１１７の底面である突起が嵌合し、底面が嵌合した第１の結合溝１１７に、ふた１４０の結合突起１４７が嵌合し、外コップ１２０と内コップ１１０がふたをされた状態で、外コップ１２０と内コップ１１０とふた１４０とが互いに分離可能に固定される。
【００２６】
前記のように構成された本考案の具体的な作用及び作動について添付図面を参照して詳細に説明する。
【００２７】
図５に示したように、本考案の二重コップ１００を氷破砕用に使用する場合、前記内コップに収められた氷またはシャーベットなどの氷菓子類をアイスクリーム用プラスチックスプーンで破砕するよりは、分離して外面から溶かしながら掻いてすくって食べる場合が多い。さらに、固い氷は破砕することが一層難しい。
【００２８】
本考案の二重コップ１００の内コップ１１０を外コップ１２０から分離した後、内コップ１１０の密封フィルム１３０を除去し、傾け、又はさかさまにして内コップ１１０の固形物Ｓを外コップ１２０に入れる。
【００２９】
この際、固形物を収める内コップ１１０の内面は底面側に行くほど狭くなる形態のもので、固形物が内コップ１１０からスムーズに分離されるように一般的なコップのような勾配角を持つことが好ましい。第１排出突起１１１と、内コップ１１０の側壁及び底面とで形成されるリング状の内コップ１１０の容量部分は、第１排出突起１１１の周囲の開口の幅が、底面から開口に進むに従って広くなるようにされている。
【００３０】
前記外コップ１２０に収められる固形物Ｓを容易に壊すために、この固形物Ｓそのものが容易に砕けるように、中央に第１排出突起１１１の内部空間である破砕ホールＳ１が形成され、その周りに複数の破砕溝Ｓ２が形成されることにより、使用者が破砕された氷を食べることができる。
【００３１】
すなわち、子供の握力でも充分に破砕されるように、氷の固形物Ｓの形状を変形することができるように、内コップ１１０の形状も多様に変形することができる。
【００３２】
したがって、前記固形物Ｓが氷である場合、前記外コップ１２０に飲料を入れて涼感を感じつつ飲むことができ、シャーベットの場合、初期に早く破砕されるので、プラスチックスプーンで容易にすくって食べることができる。
【００３３】
次に、図６に示したように、本考案の二重コップ１００をビビンバップ１０を収める容器として使用する場合、まず流通のために二重コップ１００に内容物を収める過程に関しては、外コップ１２０にはご飯１１を入れ、内コップ１１０にはビビンバップ１０用のいろいろな薬味１３を入れ、密封フィルム１３０で気密包装するとともに、外コップ１２０と結合し、前記密封フィルム１３０上に調味料ソースを収めたパックと食事用スプーンなどを保管することができるように、ふた１４０を被せて販売することになる。
【００３４】
これを食べるためには、まずふた１４０を開き、調味料ソース、スプーン及び内コップ１１０を分離し、外コップ１２０にふたを被せた状態で電子レンジなどでご飯１１を温める。
【００３５】
この状態で、内コップ１１０の薬味１３と調味料ソースを外コップ１２０に注いだ後、ふた１４０を閉め、使用者の手で外コップ１２０をもんだり振ったりして混合させることによってビビンバップ１０を完成させて食べることができ、このような簡便なお弁当代用食として容易に用いることができる。
【００３６】
一方、図７に示したように、本考案の二重コップ１００をファーストフード用容器（別名、コルポップという）として使用する場合、二重コップ１００の外コップ１２０に飲料を収め、内コップ１１０にてんぷら類などの多様な固形物を収めた後、内コップ１１０の第１排出突起１１１に形成されたストロー挿入部１１５にストロー１５０を差し込むことで、外コップ１２０の飲料を飲用するとともに内コップ１１０のてんぷら類を食べることができる。
【００３７】
この際、前記内コップ１１０に収められた飲食物の汚染を防止するために、ふた１４０を被せて使うことができるので、このふた１４０の中央にも前記内コップ１１０と同様にストロー挿入部１１５を形成することができる。
【００３８】
このように構成された本考案を提供することにより、相異なる内容物を収めて一緒に保管及び流通させることができ、内コップ１１０の内容物を外コップ１２０に注いで外コップ１２０の内容物と混合して食べることができ、前記第１及び第２排出突起１１１、１１３によって内コップ１１０に一杯になる固形物を外コップ１２０に容易に排出するとともに容易に破砕して食べることができ、前記ストロー挿入部１１５を通じて外コップ１２０に収められた液状物Ｌを飲用することができるので、前記内コップ１１０及び外コップ１２０に収められる内容物の種類に構わずに選択的に食べることができる効果を期待することができる。
【００３９】
以上説明したこの明細書及び請求範囲に使われる用語及び単語は通常的または辞書的意味に限定されて解釈されてはならず、本考案者は自分の考案を最良の方法で説明するために用語の概念を適切に定義することができるという原則に従い、本考案の技術的思想に合う意味及び概念に解釈されなければならない。
【００４０】
したがって、この明細書に記載された図面及び実施例に開示した構成は本考案の好適な一実施例に過ぎず、本考案の技術的思想を全部現すものではないので、本出願の時点でこれを置換できる多様な均等物や変形例があり得ることを理解しなければならない。
【符号の説明】
【００４１】
１００    二重コップ
１１０    内コップ
１１１    第１排出突起
１１３    第２排出突起
１１５    ストロー挿入部
１１７    第１結合溝
１２０    外コップ
１２７    第２結合溝
１３０    密封フィルム
１４０    ふた
１４７    結合突起
１５０    ストロー
Ｌ    液状物
Ｓ    固形物
Ｓ１    破砕ホール
Ｓ２    破砕溝
【図１】
0003203489.tif 000003
【図２】
0003203489.tif 000004
【図３】
0003203489.tif 000005
【図４】
0003203489.tif 000006
【図５】
0003203489.tif 000007
【図６】
0003203489.tif 000008
【図７】
0003203489.tif 000009